(57)【要約】【課題】  光ディスク上の試し書き領域の選択と、試し書きに適用する転送レートの選択をゾーンCLV記録に最適化した光ディスク記録装置及び、光ディスク記録方法を提供する。【解決手段】  情報の書込みが行われる記録領域と、レーザー光の最適パワー調整用の試し書き領域がディスク内、外周側に存在する光ディスクに対し、光ディスク上の領域を複数のゾーンに分割し、各ゾーンに毎に異なる転送レートで記録を行う光ディスク記録装置において、光ディスクへの情報記録手段と、光ディスクの回転手段と、制御手段とを備え、制御手段は、光ディスク上の記録開始位置が含まれるゾーンを検出し、検出ゾーンに適用する転送レートで試し書き処理が実行可能な試し書き領域を選択し、選択した試し書き領域において、検出したゾーンに適用する転送レートでの試し書き処理を記録手段と回転手段の制御により行うことで解決可能となる。【選択図】  図３
2005122811.tif 000002
【特許請求の範囲】
【請求項１】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク装置であって、
前記光ディスクに対しレーザー光を照射する記録手段と、
前記光ディスクを回転させる回転手段と、
前記記録手段、回転手段を制御する制御手段と、  を具備しており、
前記データ領域に情報を記録する前に、前記制御手段は、記録開始位置を含むゾーンを検出し、検出したゾーンに適用する転送レートでの試し書きを実行可能な試し書き領域を選択し、選択した試し書き領域に対し、検出したゾーンに適用する転送レートでの試し書き処理を実施し、レーザーの最適パワーを求めることを特徴とする光ディスク装置。
【請求項２】
請求項１に記載の光ディスク装置において、
記録開始位置を含むゾーンに適用する転送レート、および、試し書き処理より求められた最適パワー、を用いて、複数のゾーンに渡り情報を記録することを特徴とする光ディスク装置。
【請求項３】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク記録方法であって、
記録開始位置を含むゾーンに適用する転送レートでの試し書きを実行可能な試し書き領域を選択し、
選択した試し書き領域に対し、記録開始位置を含むゾーンに適用する転送レートでの試し書き処理を行なうことを特徴とする光ディスク記録方法。
【請求項４】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク装置であって、
前記光ディスクに対しレーザー光を照射する記録手段と、
前記光ディスクを回転させる回転手段と、
前記記録手段、回転手段を制御する制御手段と、  を具備しており、
前記データ領域に情報を記録する前に、前記制御手段は、前記情報を記録する複数のゾーンを検出し、検出したゾーンに適用する転送レートでの試し書きを実行可能な試し書き領域を選択し、選択した試し書き領域に対し、検出したゾーンに適用する各々の転送レートでの試し書き処理を実施し、各々の転送レートに対するレーザーの最適パワーを求めることを特徴とする光ディスク装置。
【請求項５】
請求項４に記載の光ディスク装置において、
前記選択される試し書き領域とは、検出したゾーンに適用する転送レートの全てに対する試し書きが実行可能な試し書き領域であることを特徴とする光ディスク装置。
【請求項６】
請求項４に記載の光ディスク装置において、
各々のゾーンに適用する転送レート、および、各々の転送レートに対する最適パワー、を用いて、各々のゾーンに記録を行うことを特徴とする光ディスク記録装置。
【請求項７】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク記録方法であって、
前記データ領域に情報を記録する前に、前記情報を記録する複数のゾーンに適用する転送レートでの試し書きを実行可能な試し書き領域を選択し、
選択した試し書き領域に対し、前記情報を記録する複数のゾーンに適用する各々の転送レートでの試し書き処理を実施し、各々の転送レートに対するレーザーの最適パワーを求めることを特徴とする光ディスク記録方法。
【請求項８】
請求項７に記載の光ディスク記録方法において、
前記選択される試し書き領域とは、検出したゾーンに適用する転送レートの全てに対する試し書きが実行可能な、試し書き領域であることを特徴とする光ディスク記録方法。
【請求項９】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク装置であって、
前記光ディスクに対しレーザー光を照射する記録手段と、
前記光ディスクを回転させる回転手段と、
前記記録手段、回転手段を制御する制御手段と、  を具備しており、
前記データ領域に情報を記録する前に、前記制御手段は、前記情報を記録する複数のゾーンを検出し、検出したゾーンを含む複数のゾーンのうち２つのゾーンに適用する転送レートの試し書きを実行可能な試し書き領域を選択し、選択した試し書き領域に対し、当該２つの転送レートでの試し書き処理を実施し、当該２つの転送レートに対するレーザーの最適パワーを求めることを特徴とする光ディスク装置。
【請求項１０】
請求項９に記載の光ディスク装置において、
前記２つのゾーンの間に存在するゾーンに対するレーザーの最適パワーは、当該２つの転送レートに対して求めたレーザーの最適パワーを補間することにより演算して求めることを特徴とする光ディスク装置。
【請求項１１】
レーザーの最適パワー調整用の内周試し書き領域と、レーザーの最適パワー調整用の外周試し書き領域と、レーザー光の照射により情報を記録可能なデータ領域と、を有する光ディスクに、前記データ領域を複数のゾーンに区分して情報を記録する光ディスク記録方法であって、
前記データ領域に情報を記録する前に、前記情報を記録するゾーンを含む複数のゾーンのうち２つのゾーンに適用する転送レートの試し書きを実行可能な試し書き領域を選択し、選択した試し書き領域に対し、当該２つの転送レートでの試し書き処理を実施し、当該２つの転送レートに対するレーザーの最適パワーを求めることを特徴とする光ディスク記録方法。
【請求項１２】
請求項１１に記載の光ディスク記録方法において、
前記２つのゾーンの間に存在するゾーンに対するレーザーの最適パワーは、当該２つの転送レートに対して求めたレーザーの最適パワーを補間することにより演算して求めることを特徴とする光ディスク記録方法。
【発明の詳細な説明】
【技術分野】
【０００１】
本発明は、追記、書換えが可能な光ディスクに情報を記録する光ディスク記録装置、及び、光ディスク記録方法に関する。
【背景技術】
【０００２】
CD-R、CD-RW、DVD-R、DVD-RW、DVD+R、DVD+RWなど光ディスクへの情報記録は記憶容量を稼ぐためCLV（Constant Liner Velocity）でディスク回転制御を行いながら、記録トラック上に記録マークを線速度（転送レート）一定に形成するCLV記録方式が適用される。
【０００３】
近年、これらの光ディスクに対する記録再生装置は、装置の消費電力低減、ディスク回転に伴う騒音、振動を抑えながらも光ディスクに対する平均転送レート向上を図る目的で、回転制御方式にゾーンCLV（Z-CLV）を適用した装置が開発されている。
【０００４】
Z-CLV方式は光ディスクの半径方向を複数ゾーンに分割、ゾーン毎に異なる速度でCLV記録を行う方法であり、外周側ゾーンほど転送レートが向上する（特許文献１参照）。
【０００５】
一方、光ディスクに対する情報の追記、書換え時には、再生信号のジッタ-を抑えた最適な記録マーク形成を行なう目的で、光ヘッドに内蔵されるレーザーダイオードのレーザー照射量を調整し、装置に装着された光ディスクに対する最適パワー（記録パワー、消去パワー）を求める。
【０００６】
このような最適パワー調整方法の一つとして、情報の記録開始前に光ディスクに設けられたドライブテストゾーン（試し書き領域）に対し記録パワーを変化させながら記録マークを形成し、各パワーに対する再生信号波形の非対象性が最小（β＝０）となるパワーを最適パワーとして求める試し書き処理（OPC：Optical Power Calibration）が挙げられる。また、記録中のパワー変動に対する追従方法としてはR-OPC（Running - OPC）が知られている。
【０００７】
最適パワーは光ディスクに記録マークを形成する際の線速度（転送レート）によって異なり、更に周囲温度など装置の使用条件、光ディスクへのレーザー照射に対するマーク形成感度の固体差などによりばらつく。試し書き処理はこれら転送レート、ばらつきに対する最適パワー調整を行う。
【０００８】
内周側に試し書き領域が確保された光ディスク（ＣＤ−Ｒなど）、内周および外周側に試し書き領域が確保された光ディスク（ＤＶＤ＋Ｒなど）が存在している。内周及び外周に試し書き領域が確保された光ディスクへの記録に際し、何れの試し書き領域を用いるかの選択として、光ディスク上の情報記録開始位置に対し、近い試し書き領域を選択する方法が知られている（特許文献２参照）。またZ-CLVを適用する装置においては、常に内周或いは外周の試し書き領域に対して、全てのゾーンに対する転送レートでの試し書き処理を行なう方法が知られている（特許文献２参照）。一方で各ゾーンに対する最適パワーは、ある転送レートでの試し書き処理で得られた最適パワーをもとに、演算によって求める方法が知られている（特許文献１、２参照）。
【０００９】
【特許文献１】特開２００２―５６５３３号公報  （第１０頁、第１１頁、図２、図３）
【００１０】
【特許文献２】特開２００３―１６８２１６号公報  （第６頁〜第８頁、第１２頁〜第１３頁、図１、図１１）
【発明の開示】
【発明が解決しようとする課題】
【００１１】
しかしながら、従来技術の場合、内周または外周試し書き領域の一方で常に試し書き処理がなされる。また、複数ゾーンに渡る記録であるか、単一ゾーン内での記録であるかに関係なく各々のゾーンでの転送レートに対する試し書き処理が行われるため、実際には用いない転送レートでの試し書き処理までも実行してしまう。
【００１２】
従って、試し書き処理に必要以上の時間を要するという問題、および、有限である試し書き領域を必要以上に消費してしまうという問題がある。
【００１３】
また、Z-CLVが適用される場合、ディスク回転数の限界に起因し、内周試し書き領域で実現可能な最高転送レートは、外周ゾーンにおける転送レートに達しない。すなわち、内周試し書き領域では外周ゾーンにおける転送レートでの試し書き処理を実施できない。
【００１４】
従って、Z-CLVが適用される装置において、適切な試し書き領域の選択方法、選択した試し書き領域に適用する転送レートの選択も課題となる。よって、内周、外周試し書き領域両方を有効利用し、かつ簡素な方法で装置での制御を行いながら最適パワー調整を行うことが課題である。
【００１５】
本発明の目的は、上記課題を解決する光ディスク記録装置及び、光ディスク記録方法を提供することである。
【課題を解決するための手段】
【００１６】
本発明において上記問題点を解決する光ディスク記録装置、光ディスク記録方法はレーザー光の最適パワー調整用の試し書き領域がディスク内、外周側に存在する光ディスクに対し、光ディスク上の領域を複数のゾーンに分割し、各ゾーンに毎に異なる転送レートで記録を行う際に、試し書き処理を、光ディスク上の記録開始位置に対するゾーン或いは、記録開始位置から記録終了位置までの各ゾーン、記録開始位置を含むそれ以降の全てのゾーンに適用される転送レートが適用可能な試し書き領域をそれぞれ選択すると共に、試し書き処理を行う際に適用される転送レートを選択することで解決可能となる。更に試し書き処理により得られた最適パワー調整値を適用して、記録開始位置から記録情報の記録を開始し、記録終了まで一定転送レートで記録を行う或いは、記録開始位置から記録終了位置に含まれるゾーンに対する記録時に適用し、記録開始から記録終了まで各ゾーンに適用される転送レートで記録を行うことで解決可能となる。
【発明の効果】
【００１７】
本発明によると、Z-CLVによる記録が適用される光ディスク装置であって、必要最小限の試し書き処理を行なう光ディスク装置を提供することができる。
【００１８】
また、光ディスへの平均転送レート向上を図りながら、最適な記録マークの形成を行うことができる。
【発明を実施するための最良の形態】
【００１９】
以下、本発明の第１の実施例について図面を用いて説明する。
【００２０】
図１は以下説明する全ての実施例に適用されるディスク記録再生装置の構成図であり、図２は図１の記録再生装置に装着される光ディスク上の領域構成例を示すフォーマット図と、Z-CLV記録の一例としてディスク半径方向を３つのゾーンに分割した場合の各ゾーンのディスク回転速度、転送レート、記録パワー概略についての説明図である。図３は本発明の第１の実施例を示し、図１のディスク記録再生装置における制御方法を説明するフローチャート、図４は記録動作の一例を示す説明図である。
【００２１】
記録再生装置の構成について図１を用いて説明する。図１において、１は光ディスク、２は光ディスク１の記録トラックに対しレーザーを照射し記録マークの形成による記録や、記録マークに対する再生信号を得るための光ヘッド、３は光ディスク上に記録マークを形成する際に、記録情報を光ディスク１への記録に適した変調信号に対するレーザー発光を制御するレーザー制御部、４は記録情報に対する変調信号を生成するデータエンコーダ、５はホストコンピュータなどから転送される記録情報や、光ディスク１から得られた再生情報を一時的に記憶するバッファメモリ、６は光ディスク１からの再生信号に対する増幅、波形等化、２値化など必要処理を行うプリアンプ、７は光ディスク上の記録トラックに刻まれており、DVD-R、DVD-RWならLPP（Land Pre Pit）、CD-R、CD-RWならATIP（Absolute Time In Pre groove）、DVD＋R、DVD＋RWならADIP（ADdress In Pre groove）などとして変調されているディスク上の位置を示すアドレス情報や、光ディスクに適用する各推奨値（転送レート、目標パワー、ライトストラテジ情報）などを検出するアドレスデコーダ、８はプリアンプからの２値化された信号に対してデータ復調処理、誤り訂正処理などディスク記録情報の再生に必要な処理を行うデータデコーダ、９は装置に接続されるホストコンピュータなど制御ホストとの間でデータ転送を制御するインターフェイス部、１０は光ヘッド２の移動やディスク回転制御、光ディスクに対する記録制御、再生制御など装置全体の制御を行うシステムコントローラ、１１はディスクモータ１２や光ヘッド２のフォーカス、トラッキング制御、光ヘッド２のディスク半径方向への移動を制御するサーボ処理部、１２は光ディスク１を回転させるディスクモータ、１３は光ヘッド２のディスク半径方向に対する送り手段である。
【００２２】
図２を用いて光ディスク１を構成する各領域について説明する。一例として追記型ディスクと、書換え型ディスクの領域構成を示す。
【００２３】
追記型ディスクには、リードイン、データエリア（データ領域）、リードアウトが確保されている他、最内周、最外周それぞれに追記型ディスク独自の領域である内周ドライブ領域、外周ドライブ領域を設けてあり、それぞれ内周試し書き領域、外周試し書き領域が含まれる。更に内周ドライブ領域にはデータエリア上に追記されたセッション追記状態を管理したり、パケットライトを行うためのディスクフォーマット処理状態など管理するコンテンツテーブル（TOC：Table of contents）領域も含まれる。
【００２４】
書換え型ディスクにおいてはリードイン、リードアウトそれぞれに試し書き領域が含まれる。コンテンツテーブルはリードインに含まれる。データ領域への記録について、追記型ディスクはセッション単位での追記が適用され、書換え型ディスクについては小容量の情報書換えにも適したパケットライト方式も適用される。
【００２５】
次にZ-CLVについて説明する。図２ではゾーン分割の一例としてディスク半径方向を３つのゾーンに分割した場合を示す。ディスク回転速度は各ゾーン開始位置において装置で許容される最大値となり転送レート一定となるようにゾーン外周側で減少する。内周から外周ゾーンの転送レートはTR１＜TR２＜TR３の関係であり、最内周の転送レートがディスク全面に適用されるCLV記録の場合に比べ平均転送レートが向上する。なお、記録パワーは転送レートの向上に伴いPw１＜Pw２＜Pw３の関係となる。
【００２６】
図２で説明した光ディスク、Z−CLVが適用される場合の試し書き領域の選択方法、選択試し書き処理に適用する転送レートの選択、記録動作について図３、図４を用いて説明する。
【００２７】
図４の記録動作例１は情報の記録開始がゾーン１、記録終了がゾーン２である場合を示す。記録開始がゾーン１であることから、ゾーン１での転送レートTR１で試し書きが可能な内周試し書き領域を選択し、転送レートTR１で試し書き処理１（TW１）を行い、最適パワーPw１を求める。その後、記録開始位置から最適パワーPw１を適用し、転送レートTR１一定で記録開始から終了まで記録する。この場合、記録動作例１に示すように、ゾーン２でも転送レートTR１一定で記録される。
【００２８】
記録動作例２は記録開始がゾーン２、記録終了がゾーン３である場合を示す。内周試し書き領域ではゾーン２における転送レートTR2での試し書きができないため、転送レートTR２での試し書きが可能な外周試し書き領域を選択し、転送レートTR2で試し書き処理２（TW2）を実行、最適パワーPw２を求める。その後、記録開始位置から最適パワーPw２を適用し、転送レートTR２で記録開始から終了まで記録する。この場合、記録動作例２に示すように、ゾーン３でも転送レートTR２一定で記録される。
【００２９】
第１の実施例における記録方法を図３のフローチャートを用いて説明する。なお、ここでは、内周、外周試し書き領域を備えた光ディスクを対象に動作を説明する。
【００３０】
装置に光ディスク１が装着されると、システムコントローラ１０は、装着されたディスクの種類を判別し、判別結果に従いトラッキング、フォーカスなど各種調整を行うと共に、内周側のみ或いは、内周、外周両方の試し書き領域をもった光ディスクであるのかを判定する。更に装着されたディスクに対するゾーン分割、各ゾーンに適用するディスク回転速度、転送レートなどZ-CLV制御を行うためのプログラム情報の呼出などシステムコントローラ内での初期化を行う（ステップ３０１）。
【００３１】
システムコントローラ１０はインターフェイス部９を介して制御ホストから送信された記録命令から、光ディスク１に対する記録開始位置を検出する（ステップ３０２）。
【００３２】
検出した記録開始位置と光ディスク上の各ゾーン開始位置、終了位置の関係から、記録開始位置が含まれるゾーンを検出する（ステップ３０３）。
【００３３】
システムコントローラ１０は、検出したゾーンに適用される転送レートと、最内周のゾーン１に適用される転送レートとの比較を行い（ステップ３０４）、（検出ゾーンの転送レート）＞（ゾーン１の転送レート）の関係でなければ、つまり記録開始位置がゾーン１に含まれる場合には、サーボ制御部１１を介して光ヘッド２を内周試し書き領域にアクセス（ステップ３０５）、ディスクモータ１２の制御でゾーン１の転送レートTR１となるようにディスク回転数を制定、試し書き処理を実行し、最適パワーPw１を求める（ステップ３０６）。ここで検出ゾーン転送レートとの比較の対象であるゾーン１の転送レートは、ゾーン１に含まれる内周試し書き領域に適用可能な最大転送レートでもある。
【００３４】
その後、ディスク上に刻まれているアドレス情報をプリアンプ６を介してアドレスデコーダ７で検出、システムコントローラ１０は、そのアドレス情報と目的のアクセス位置から判断し、サーボ制御部１１を介して送り機構１３を制御することで光ヘッドを所定の位置にアクセスさせる。ディスク回転数の制定については例えば光ディスクのトラック側面に刻まれているウォブリングを再生し、その信号周期からサーボ制御部１１は目標回転数（目標転送レート）に引き込むようにディスクモータ１２を制御する。そして記録開始位置にアクセスするとともに、ディスク回転数を制定し（ステップ３０７）、光ヘッド２のレーザー出力が最適パワーPw１となるようにレーザー制御部３を制御し開始から終了まで一定転送レートTR1で記録を行う（ステップ３０８）。
【００３５】
一方、ステップ３０４で（検出ゾーンの転送レート）＞（ゾーン１の転送レート）の関係が成立すれば、つまりゾーン２またはゾーン３を記録対象とする場合には、これらゾーンに対する転送レートでの試し書きが可能な外周試し書き領域へアクセスを行う（ステップ３０９）。その後、ステップ３０３で検出したゾーン（ゾーン２またはゾーン３）に適用される転送レートとなるようにディスク回転数を制定し、試し書き処理行い最適パワーPw２またはPw３を求める（ステップ３０６）。ステップ３０７以降は同様であり、外周試し書き領域で求めた最適パワーを適用して、記録開始位置に対するゾーン転送レートで記録開始から終了まで記録を行う。
【００３６】
以上に述べたように、第１の実施例においては、ディスク上の記録開始位置が含まれるゾーンに基づいて、試し書き領域の選択と、試し書きで適用する転送レートを選択することで、記録時の転送レートに対する試し書き処理を可能としつつ、試し書き処理の実行回数を必要最小限に抑えることができる。また装置における記録制御を簡素化できる。
【００３７】
なお第１の実施例において、外周試し書き領域における高転送レートの試し書きを行なう際に、ディスク偏芯などの影響により、トラッキングが外れたり、再生信号波形の非対象性が最小（β＝０に近づく）となるパワー設定値が検出できないなど、妥当な試し書き結果が得られない場合は、適用する転送レートを段階的に下げても良い。各ゾーンの記録についても段階的に下げた転送レートでゾーン内の記録を行う。なお、段階的に下げた転送レートでの試し書き処理が既に行なわれている場合は同一の転送レートでの試し書きの再実施の必要はない。
【００３８】
例えば、図４の記録動作例２においては、本来転送レートTR２で試し書き、情報の記録を行なうが、１段階下がった転送レートTR１で内周試し書き領域或いは、外周試し書き領域で試し書き処理を行い、情報の記録もTR１で行なう。
【００３９】
図５は本発明の第２の実施例を示すフローチャートであり、図６は図５の記録方法を適用した場合の動作一例を示す説明図である。
【００４０】
図６の記録動作例１は記録開始がゾーン１、記録終了がゾーン２である場合を示す。記録開始はゾーン１であるため、ゾーン１における転送レートTR1での試し書きの可能な内周試し書き領域を選択、転送レートTR１で試し書き処理（TW１）を行い、最適パワーPw１を求める。また、記録終了はゾーン２であるため、ゾーン２における転送レートTR2での試し書きの可能な外周試し書き領域を選択、転送レートTRで試し書き処理（TW２）を行い、最適パワーPw２を求める。全ての試し書き処理の終了後、記録開始位置から最適パワーPw１を適用、転送レートTR１で記録を開始する。記録位置がゾーン２に入った場合、一旦記録動作を停止し、ゾーン２の先頭位置から最適パワーPw２を適用、転送レートTR２で記録を再開する。
【００４１】
記録動作例２は記録開始がゾーン２、記録終了がゾーン３である場合を示す。記録開始はゾーン２であるため、ゾーン２における転送レートTR2での試し書きの可能な外周試し書き領域を選択、転送レートTR２で試し書き処理（TW２）を行い、最適パワーPw２を求める。また、記録終了はゾーン３であるため、ゾーン３における転送レートTR3での試し書きの可能な外周試し書き領域を選択、転送レートTR３で試し書き処理（TW３）を行い、最適パワーPw３も求める。全ての試し書き処理の終了後、記録開始位置から最適パワーPw２を適用し、転送レートTR２で記録を開始する。記録位置がゾーン３に入った場合、一旦記録動作を停止し、ゾーン３の先頭位置から転送レートTR３で記録を再開する。
【００４２】
記録動作例３は記録開始がゾーン１、記録終了がゾーン３の場合を示す。試し書き領域の選択、各試し書き領域における試し書き処理に適用する転送レートの選択、記録開始から終了までのゾーン切り替え時に適用される最適パワーについては記録動作例１と記録動作例２で説明した内容が適用される。
【００４３】
第２の実施例における記録方法を図５のフローチャートを用いて説明する。図５においてステップ５０１、ステップ５０２は、図３のステップ３０１、ステップ３０２と同様であり説明を省略する。
【００４４】
ステップ５０３では、記録開始位置から終了位置までに含まれるゾーンの検出或いは、記録開始位置からディスク最外周ゾーンまでに含まれるゾーンの検出を行う。ここで、記録終了位置は、システムコントローラ１０においてホストからの記録命令に含まれる記録開始位置と記録ブロック（転送ブロック）数の演算より求める。
【００４５】
システムコントローラ１０は検出したゾーンの中で最内周に位置する記録開始ゾーン、つまり最小の転送レートが適用されるゾーンに対する転送レートと、ゾーン１に適用される転送レートとの比較を行い（ステップ５０４）、（記録開始ゾーンの転送レート）＞（ゾーン１の転送レート）の関係でなければ、つまり記録開始位置がゾーン１に含まれる場合、内周試し書き領域にアクセスし（ステップ５０５）、ゾーン１の転送レートTR１となるようにディスク回転数を制定、試し書き処理を実行し、最適パワーPw１を求める（ステップ５０６）。ここで検出ゾーン転送レートとの比較の対象であるゾーン１の転送レートは、ゾーン１に含まれる内周試し書き領域に適用可能な最大転送レートでもある。
【００４６】
ステップ５０７では、全ての検出ゾーンにおける転送レートでの試し書き処理が終了しているか判断し、何れかの検出ゾーンに対する転送レートでの試し書き処理が終了していない場合には、ステップ５０４に戻り、次のゾーンと、ゾーン１との転送レート比較を行い、（次ゾーンの転送レート）＞（ゾーン１の転送レート）の関係でなければ、ステップ５０５以降の処理を繰り返す。
【００４７】
全ての検出ゾーンに対する試し書きが終了したと判断されれば、記録開始位置に対する転送レートでの最適パワーを適用して記録を行い、ゾーンが切り替わるたびに一旦記録動作を中断し、次のゾーンの先頭位置から当該ゾーンにおける最適パワーを適用し、ゾーン毎に一定転送レートで記録する。
【００４８】
一方、ステップ５０４で（次ゾーンの転送レート）＞（ゾーン１の転送レート）の関係が成立すれば、つまりゾーン２またはゾーン３を記録対象とする場合には、外周試し書き領域へアクセスを行う（ステップ５０９）。その後、ステップ５０６で次ゾーンに適用される転送レートとなるようにディスク回転数を制定、試し書き処理行い最適パワーを求める（ステップ５０６）。ステップ５０７以降は同様であり、試し書きを行っていない検出ゾーンが存在する場合には、ステップ５０４の転送レート比較を行い、検出した全てのゾーンに対する試し書き処理を終了する。さらにステップ５０８において求めた最適パワーを順次適用しながら、ゾーン毎に記録を行う。
【００４９】
以上第２の実施例においては、記録開始位置から記録終了位置までのゾーンを検出、或いは記録開始からディスク最終ゾーンに対するゾーンを検出し、転送レートの比較から試し書き領域の選択と、その領域での試し書きで適用する転送レートの選択を行うことで、記録時の転送レートに対する試し書き処理が可能としながら、試し書き処理の実行回数を必要最小に抑えることができる。またゾーンごとに異なる転送レートで記録することから第１の実施例に比較して光ディスクへの平均転送レートが向上する。特に記録開始からディスク最終ゾーンまでのゾーン検出を行う場合は、記録開始位置についての情報のみを用いることから、記録終了位置が不明な、例えば放送ストリームなどのレコーディングに適する。
【００５０】
なお第２の実施例においても第１の実施例と同様、外周試し書き領域における試し書きを行なう際に、妥当な試し書き結果が得られない場合は、外周試し書き領域において適用する転送レートを段階的に下げることも考えられる。なお、段階的に下げた転送レートでの試し書き処理が既に行なわれている場合は同一の転送レートでの試し書きの再実施の必要はない。
【００５１】
例えば、図６の記録動作例３においては、ゾーン３については本来、転送レートTR３で試し書き、情報の記録を行なうが、１段階下がった転送レートTR２はゾーン２に対する試し書き処理で実施済みである。従ってこれ以上試し書き処理は行なわず、ゾーン３に対する情報の記録はTR２で行なう、もしくはTR２に対する最適パワーから演算でTR３に対する最適パワーを求め、TR３で記録することも考えられる。
【００５２】
第１または第２の実施例において、コンテンツテーブルなどの制御情報の更新記録する際に、それらが情報記録前に更新される場合には、それらが含まれるゾーンに対する転送レートが適用可能な試し書き領域において試し書きを実施し、記録開始位置に対するゾーンが同一ゾーンであれば記録開始位置に対する試し書きは行わない。一方で制御情報の更新記録が情報記録後に行われる場合には、それらが含まれるゾーンに対する試し書きが未実施であれば、それらが含まれるゾーンに対する転送レートが適用可能な試し書き領域における試し書きを実施し、同一ゾーンに対する試し書きが実施済みであれば試し書きは行わない。これらの制御はシステムコントローラ１０で行われる。
【００５３】
図７は本発明の第３の実施例を示すフローチャートであり、図８は図７の記録方法を適用した場合の動作一例を示す説明図である。
【００５４】
図８の記録動作例１は記録開始がゾーン１、記録終了がゾーン２の場合を示す。この場合試し書き領域の選択は、記録開始位置が含まれるゾーンにかかわらず全て外周試し書き領域で行なわれ転送レートTR１、TR２に対する試し書き処理を行い、最適パワーPw１、Pw２を求める。外周試し書き領域においては、同一の領域で全てのゾーンの転送レートに対するディスク回転制御が可能である。更に記録開始位置から最適パワーPw１を適用、転送レートTR１一定で記録を開始し、ゾーン切り替えで最適パワーPw２を適用、転送レートTR２一定で記録する。
【００５５】
記録動作例２は記録開始がゾーン１、記録終了がゾーン３の場合を示す。この場合の転送レートTR１、TR２、TR３に対する試し書き処理も全て外周試し書き領域において行われ、外最適パワーPw１、Pw２、Pw３を求める。更に記録開始位置から順次最適パワーPw１、Pw２、Pw３を適用、転送レートTR１、TR２、TR３で記録する。
【００５６】
第３の実施例における記録方法を図７のフローチャートを用いて説明する。図７においてステップ７０１からステップ７０２は図３のステップ３０１からステップ３０２と同様、ステップ７０３は図５のステップ５０３と同様であり説明を省略する。
【００５７】
ステップ７０４では、試し書き領域を選択し、選択した試し書き領域にアクセスする。試し書き領域の選択は、検出した全てのゾーンの転送レートに対する試し書き処理が同一の試し書き領域で実施可能な領域が選択される。例えば、図２のゾーン分割例ではゾーン１からゾーン３までの転送レートで試し書きが可能な外周試し書き領域が選択される。これに対し、内周試し書き領域で全ての検出ゾーンの転送レートで試し書きが実行可能な場合は、内周試し書き領域にアクセスし、ステップ７０５以降の処理を行っても良い。ステップ７０３で外周試し書き領域でしか試し書きできない転送レートに対応するゾーン（例えば最外周ゾーン）を検出した場合は、ステップ７０４では一律に外周試し書き領域の選択を行うことも考えられる。
【００５８】
次に選択した試し書き領域において検出した各ゾーンに対する転送レートでの試し書き処理を行い、最適パワーを求める（ステップ７０５）。
【００５９】
ステップ７０６では、全ての検出ゾーンにおける転送レートでの試し書き処理が終了しているか判断し、何れかの検出ゾーンに対する転送レートでの試し書き処理が終了していない場合には、次のゾーンに対する転送レートとなるようディスク回転数を制定し、試し書き処理を実行、最適パワーを求めることを繰り返す。
【００６０】
試し書き処理の順番の一例として、記録開始位置に対する転送レートから開始し、それに続くゾーンに対する試し書き処理を行うという方法がある。全ての検出ゾーンに対する試し書きが終了と判断されれば、記録開始位置での転送レートに対する最適パワーを適用して記録を行い、ゾーンが切り替わるたびに一旦記録動作を中断し次のゾーンの先頭位置から順次最適パワーを適用、ゾーン毎に一定転送レートで記録する。
【００６１】
以上第３の実施例においては、検出した全てのゾーンに対する転送レートでの試し書きが可能な１つの試し書き領域を選択することから、試し書き領域へのアクセス時間を短縮しながら、実際の記録時の転送レートに対する試し書き処理が可能となる。また試し書き処理の実行回数を必要最小に抑えることができる。特に記録開始からディスク最終ゾーンまでのゾーン検出を行う場合は、記録開始位置についての情報のみを用いることから、記録終了位置が不明な、例えば放送ストリームなどのレコーディングに適する。
【００６２】
なお第３の実施例においても第１の実施例と同様、外周試し書き領域における試し書きを行なう際に、妥当な試し書き結果が得られない場合は、外周試し書き領域において適用する転送レートを段階的に下げることも考えられる。なお、段階的に下げた転送レートでの試し書き処理が既に行なわれている場合は同一の転送レートでの試し書きの再実施の必要はない。
【００６３】
例えば図８の記録動作例３においては、ゾーン３については本来、転送レートTR３で試し書き、情報の記録を行なうが、１段階下がった転送レートTR２はゾーン２に対する試し書き処理で実施済みである。従ってこれ以上試し書き処理は行なわず、ゾーン３に対する情報の記録はTR２で行なう、もしくはTR２に対する最適パワーから演算でTR３に対する最適パワーを求め、TR３で記録することも考えられる。
【００６４】
図９は本発明の第４の実施例を示すフローチャートであり、図１０は図９の記録方法を適用した場合の動作一例を示す説明図である。
【００６５】
図１０の記録動作例１は記録開始がゾーン１、記録終了がゾーン３の場合を示す。この場合試し書き領域は記録開始から終了までに含まれる３つのゾーンの中で最小、最大の転送レートTR１、TR３に対する試し書き処理が同一の領域で可能な外周試し書き領域が選択され、最適パワーPw１、Pw３を求める。ゾーン２に対する最適パワーは求めた２つの最適パワーから補間することで求める。更に記録開始位置から順次最適パワーPw１、Pw２、Pw３を適用、転送レートTR１、TR２、TR３で記録する。外周試し書き領域においては、同一の領域で各ゾーンに適用される最大、最小の転送レートに対するディスク回転制御が可能である。
【００６６】
記録動作例２は記録開始がゾーン１、記録終了がゾーン２の場合を示す。この場合は記録開始位置のゾーン１から、ディスク最外周のゾーン３に対する転送レートTR１、TR３で試し書き処理が同一の領域で可能な外周試し書き領域が選択され、最適パワーPw１、Pw３を求める。ゾーン２に対する最適パワーは求めた２つの最適パワーから補間することで求める。更に記録開始位置から順次最適パワーPw１、Pw２を適用、転送レートTR１、TR２で記録する。
【００６７】
第４の実施例における記録方法を図９のフローチャートを用いて説明する。図９においてステップ９０１からステップ９０２は図３のステップ３０１からステップ３０２、ステップ９０３は図５のステップ５０３、ステップ９０４は図７のステップ７０４と同様であり説明を省略する。
【００６８】
ステップ９０３においては記録動作例１を適用する場合は記録開始位置と終了位置に対するゾーンを検出、記録動作例２を適用する場合は記録開始位置に対するゾーンとディスク最外周のゾーンを検出する。ステップ９０５からステップ９０６にかけて検出した２つのゾーンの転送レートに対する試し書き処理を行い、第１、第２の最適パワーを求める。検出した２つのゾーンが同一である場合にはそのゾーンの転送レートで１回のみ試し書きを行いステップ９０７を経由、ステップ９０９において求めた最適パワーを適用し一定転送レートで記録する。試し書き処理の順番の一例としては、記録開始位置に対する転送レートから開始し、次に記録終了位置或いは、ディスク最終ゾーンに対する試し書き処理を行う方法を用いても良い。つまり転送レートの低いゾーンから高いゾーンに対して試し書き処理を行なう。
【００６９】
ステップ９０６で検出ゾーンに対する試し書き全てが終了すれば、ステップ９０７において検出した２つのゾーンの間に、試し書き処理を行っていないゾーンの有無を判定する。存在しない場合は求めた第１、第２の最適パワーを順次適用してゾーンごとに一定転送レートで記録する（ステップ９０９）。存在する場合にはステップ９０８において、求めた第１、第２の最適パワーから間のゾーンに対する第３の最適パワーをシステムコントローラ１０における演算処理で求め、第１、第３、第２の最適パワーを順次適用して、ゾーン毎に転送レート一定で記録する（ステップ９０９）。
【００７０】
以上第４の実施例においては、２つのゾーンに対する転送レートでの試し書きが可能な試し書き領域を選択し、該２つのゾーンに対する転送レートでの試し書きを行い、該２つのゾーンの間に存在するゾーンにおける転送レートでの最適パワーを演算により求めることから、試し書き領域へのアクセス時間を短縮しつつ、試し書き処理の実行回数を必要最小に抑えることができ、実施例３に比較して試し書き処理に要する時間を短縮することができる。
【００７１】
なお第４の実施例においても第１の実施例と同様、外周試し書き領域における試し書きを行なう際に、妥当な試し書き結果が得られない場合は、外周試し書き領域において適用する転送レートを段階的に下げることも考えられる。なお、段階的に下げた転送レートでの試し書き処理が既に行なわれている場合は同一の転送レートでの試し書きの再実施の必要はない。
【００７２】
例えば図１０の記録動作例１においては、ゾーン３については本来、転送レートTR３で試し書き、情報の記録を行なうが、１段階下がった転送レートTR２で試し書き、ゾーン３に対する記録を行なう。もしくは求めたTR２に対する最適パワーから演算でTR３に対する最適パワーを求め、TR３で記録することも考えられる。
【００７３】
また第４の実施例において特に転送レートの最小、最大ゾーンに対する試し書きを選択することに限定されず、２つ以上のゾーンに対する転送レートを選択して試し書きを行い、求めた第１、第２の最適パワーからその他のゾーンに対する第３の最適パワーを演算によって求めることも考えられる。第２、第３実施例において、外周試し書き領域において３回以上試し書きを行う場合もこの方法が適用される。
【００７４】
以上説明した第３、第４の実施例においてのコンテンツテーブルなど内周ドライブ領域やリードインなどに含まれる制御情報の更新記録については、それらが情報記録前に更新される場合には、それらが含まれるゾーンに対する転送レートを外周試し書き領域に適用して試し書きを実施し、記録開始位置に対するゾーンが同一ゾーンであれば記録開始位置に対する試し書きは行わない。一方で制御情報の更新記録が情報記録後に行われる場合には、それらが含まれるゾーンに対する試し書きが未実施であれば、外周或いは内周試し書き領域における試し書きを実施し、同一ゾーンに対する試し書きが実施済みであれば試し書きは行わない。これらの制御はシステムコントローラ１０で行われる。
【００７５】
なお装置において適用される光ディスクのゾーン分割は図２で説明した３つのゾーンに限定されず、２ゾーン以上の場合に適用される。特に２ゾーンの場合は記録開始位置に対する試し書き領域の選択のみを行うことになる。
【００７６】
また第２、第３の実施例で複数回行う試し書き処理は、情報の記録開始前に全て行うことに限定されず、例えば記録開始位置に対するゾーンの試し書き、記録終了後、次ゾーンに対する試し書き処理、ゾーン内での記録を行い、ゾーン切替の度に次ゾーンに対する試し書き、記録を行なうことも考えられる。
【００７７】
第２、第３、第４の実施例において、同一の試し書き領域において試し書きを複数回行う際には転送レートの低い順に行うことに限定されず、逆も考えられる。３回以上の場合はランダムに行なうことも考えられる。全ての試し書き処理に要する時間が最小となる順番が望ましい。
【００７８】
本発明で説明した実施例で内周、外周いずれかの試し書き領域が不足した場合、装置は空きのある試し書き領域を選択することも考えられる。特に外周試し書き領域不足の場合は、内周試し書き領域に適用可能な最大転送レートで試し書き処理を行い、その転送レートで該当ゾーンの記録を行う。
【図面の簡単な説明】
【００７９】
【図１】光ディスク記録装置の構成を示すブロック図。
【図２】光ディスクフォーマットと、ゾーンCLV記録が適用される場合の説明図。
【図３】第１の実施例における記録装置の動作を説明するフローチャート。
【図４】第１の実施例における記録動作の一例を示す説明図。
【図５】第２の実施例における記録装置の動作を説明するフローチャート。
【図６】第２の実施例における記録動作の一例を示す説明図。
【図７】第３の実施例における記録装置の動作を説明するフローチャート。
【図８】第３の実施例における記録動作の一例を示す説明図。
【図９】第４の実施例における記録装置の別の動作を説明するフローチャート。
【図１０】第４の実施例における記録動作の一例を示す説明図。
【符号の説明】
【００８０】
１…光ディスク、２…光ヘッド、３…レーザー制御部、４…データエンコーダ、５…バッファメモリ、６…プリアンプ、７…アドレスでコーダ、８…データデコーダ、９…インターフェイス部、１０…システムコントローラ、１１…サーボ制御部、１２…ディスクモータ、１３…ヘッド送り機構。
【図１】
2005122811.tif 000003
【図２】
2005122811.tif 000004
【図３】
2005122811.tif 000005
【図４】
2005122811.tif 000006
【図５】
2005122811.tif 000007
【図６】
2005122811.tif 000008
【図７】
2005122811.tif 000009
【図８】
2005122811.tif 000010
【図９】
2005122811.tif 000011
【図１０】
2005122811.tif 000012